(57)【要約】      （修正有）【課題】立体化が容易で、かつ、消費する紙や糊の消費を抑え、さらに、容器に入れた食べ物から出る油や水分が容器下部から漏出することを防止できる紙状素材のフィンガーフード用容器を提供する。【解決手段】折り曲げて組み立てることで容器を構成するシートであって、直列的に配列される背面部０１０１、背面部０１０１と谷折りとなる第一折目０１１１を介して隣接する谷折りとなる第二折目０１１２を有する底面部０１０２、底面部０１０２と谷折りとなる第三折目０１１３を介して隣接する底面部接続領域０１０３、底面部０１０２及び底面部接続領域０１０３と山折りとなる第四折目０１１４を介して隣接する前面部接続領域０１０４及び、前面部接続領域０１０４と谷折りとなる第五折目０１１５を介して隣接する前面部０１０５と、前記前面部０１０５と前記背面部０１０１とをつなぐための接続部０１０６と、からなる。【選択図】図１
0003195440.tif 000002
【実用新案登録請求の範囲】
【請求項１】
折り曲げて組み立てることで容器を構成するシートであって、
直列的に配列される背面部、背面部と谷折りとなる第一折目を介して隣接する谷折りとなる第二折目を有する底面部、底面部と谷折りとなる第三折目を介して隣接する底面部接続領域、底面部及び底面部接続領域と山折りとなる第四折目を介して隣接する前面部接続領域及び、前面部接続領域と谷折りとなる第五折目を介して隣接する前面部と、
前記前面部と前記背面部とをつなぐための接続部と、
からなるシート。
【請求項２】
背面部と第六折目で隣接する第一折返部と、
底面部接続領域と第七折目で隣接する第二折返部と、
を有する請求項１に記載のシート。
【請求項３】
直列的に配列される背面部、背面部と谷折りとなる第一折目を介して隣接する谷折りとなる第二折目を有する底面部、底面部と谷折りとなる第三折目を介して隣接する底面部接続領域、底面部及び底面部接続領域と山折りとなる第四折目を介して隣接する前面部接続領域及び、前面部接続領域と谷折りとなる第五折目を介して隣接する前面部と、
前記前面部と前記背面部とをつなぐための接続部と、
からなる容器。
【請求項４】
背面部と第六折目で隣接する第一折返部と、
底面部接続領域と第七折目で隣接する第二折返部と、
を有する請求項３に記載の容器。
【請求項５】
前記底面部が有する谷折りである第二折目を容器外から押し上げることで折目を展開してなる請求項３又は４に記載の容器。
【考案の詳細な説明】
【技術分野】
【０００１】
本件考案は、一枚の紙を折り曲げ接続することにより袋状に形成されるフィンガーフード用容器に関する。
【背景技術】
【０００２】
従来より、ファーストフード店等で販売される指でつまんで食べるような食べ物（以下「フィンガーフード」という。）用容器について種々のものが存在する。特に紙製で簡易に組み立て可能であって、自立する容器が知られている。
【先行技術文献】
【特許文献】
【０００３】
【特許文献１】実用新案登録第３１９００３５号
【考案の開示】
【考案が解決しようとする課題】
【０００４】
しかし、上記特許文献１の発明は、容器として立体化させるべく折りたたまれた底面部を展開すると、底面部中央がせり上がることにより底面部の両側面が最も低い位置に形成され、底面部の両側面から、中に入れた食べ物から出る油や水分が漏れるという問題があった。また、容器を自立させるための脚が容器下部に円周状に設けられていることから、円周状に形成された脚の内側に手を入れて底面を形成することになり、底面を形成させづらいという問題があった。さらに、背面部と前面部の双方に接続領域があることから、その部分に紙や糊を使用するという問題があった。
【課題を解決するための手段】
【０００５】
そこで、本願の考案者は、本フィンガーフード用容器を考案した。本フィンガーフード用容器は、底面部の両側面に開口が上向きである後述する折返部を設けることにより、容器に入れた食べ物から出る油や水分が容器下部から外に漏れることを防止することが可能となった。また、容器を自立させるための脚を円周状に設けるのではなく、略半楕円状にし、後述する側面部の下部を脚とすることにより、容器背面側にできる空間から指を入れて容器底面を形成させることができ、安定的に自立してかつ容易に容器底面を展開して立体化させることが可能となった。さらに、前面部のみに接続領域を設けることにより、背面部側の接続領域分の紙や糊の消費が抑えられ容器作成コストを軽減することが可能となった。
【０００６】
以上の課題を解決するため、第一の考案は、折り曲げて組み立てることで容器を構成するシートであって、直列的に配列される背面部、背面部と谷折りとなる第一折目を介して隣接する谷折りとなる第二折目を有する底面部、底面部と谷折りとなる第三折目を介して隣接する底面部接続領域、底面部及び底面部接続領域と山折りとなる第四折目を介して隣接する前面部接続領域及び、前面部接続領域と谷折りとなる第五折目を介して隣接する前面部と、前記前面部と前記背面部とをつなぐための接続部と、からなるシートを提供する。
【０００７】
第二の考案は、背面部と第六折目で隣接する第一折返部と、底面部接続領域と第七折目で隣接する第二折返部と、を有する第一の考案に記載のシートを提供する。
【０００８】
第三の考案は、直列的に配列される背面部、背面部と谷折りとなる第一折目を介して隣接する谷折りとなる第二折目を有する底面部、底面部と谷折りとなる第三折目を介して隣接する底面部接続領域、底面部及び底面部接続領域と山折りとなる第四折目を介して隣接する前面部接続領域及び、前面部接続領域と谷折りとなる第五折目を介して隣接する前面部と、前記前面部と前記背面部とをつなぐための接続部と、からなる容器を提供する。
【０００９】
第四の考案は、背面部と第六折目で隣接する第一折返部と、底面部接続領域と第七折目で隣接する第二折返部と、を有する第三の考案に記載の容器を提供する。
【００１０】
第五の考案は、前記底面部が有する谷折りである第二折目を容器外から押し上げることで折目を展開してなる第三又は第四の考案に記載の容器を提供する。
【考案の効果】
【００１１】
本考案によれば、容器に入れた食べ物から出る油や水分が容器下部から外に漏れることを防止することが可能で、安定的に自立してかつ容易に容器底面を展開して立体化させることができ、さらに紙や糊の消費が抑えられ容器作成コストを軽減することが可能なフィンガーフード用容器を提供することができる。
【図面の簡単な説明】
【００１２】
【図１】実施形態１のシートの展開図
【図２】実施形態１の容器の正面図
【図３】実施形態１の容器の背面図
【図４】実施形態１の容器の下方背面斜視図
【図５】実施形態１のシートの展開図
【図６】実施形態２のシートの展開図
【図７】実施形態１のシートの展開図
【図８】実施形態２の折返部を背面外側に折り返した場合の概念図
【図９】実施形態１及び２の蓋部を有するシートの展開図
【図１０】実施形態１及び２の蓋部を閉じた場合の正面図
【図１１】実施形態３の容器の左側面図
【図１２】実施形態３の容器の断面図
【符号の説明】
【００１３】
０１００  実施形態１のフィンガーフード用容器
０１０１  背面部
０１０２  底面部
０１０３  底面部接続領域
０１０４  前面部接続領域
０１０５  前面部
０１０６  接続部
０６０７  第一折返部
０６０８  第二折返部
０９２１  蓋部
０９２２  差込片
０９２３  差込スリット
０９２４  爪楊枝保持スリット
０１１１  第一折目
０１１２  第二折目
０１１３  第三折目
０１１４  第四折目
０１１５  第五折目
０６１６  第六折目
０６１７  第七折目
【考案を実施するための最良の形態】
【００１４】
以下に本件考案の実施形態を説明する。実施形態１は主に請求項１及び３について、実施形態２は主に請求項２及び４について、実施形態３は主に請求項５について説明している。なお、本考案はこれらの実施形態に限定されるものではなく、その要旨を逸脱しない範囲において、種々なる態様で実施しうる。
≪実施形態１≫
【００１５】
＜概要＞
本実施形態のシートは、所定の折り目で山折りあるいは谷折りすることで組み立てられ、前面部及び背面部が容器の壁面を構成し、底面部が広げられることにより内部に袋状の空間を有する容器となるシートである。このシートは一枚の紙状素材でできており、立体化させたときに安定して自立する。さらにこのシートは、中に入れる食べ物の種類、大きさ、個数等に合わせて大きさ、素材等を容易に変更することができる。なお、本実施形態の説明では第一の考案にかかるシートと第三の考案にかかる容器とは構成を同じくしており、第一の考案にかかるシートを所定の折り目で折ることで形成されるのが第三の考案にかかる容器であるから、以下の説明は、両者に共通する。
【００１６】
＜構成＞
図１は、本実施形態のシートの展開図である。このシートは、折り目にて区分けされ直列的に配列される背面部、底面部、底面部接続領域、前面部接続領域、前面部、接続部とからなる。以下、各部の構成について図１を用いて説明する。
【００１７】
（背面部）
「背面部」（０１０１）は、谷折りとなる第一折目（０１１１）を介して後述する底面部と隣接し、シートを容器として立体化させたときに容器の背面を形成する部分である。谷折りとは、容器の内側を上から見た場合、当該折目が折り曲げられると、折目を挟んで隣接する内側の面同士が近づく方向の折り方をいう。背面部の形状は、底面側から開口側にかけて広がるようにすることで、指を入れて中の食べ物を取り出し易くすることが好ましい。
【００１８】
各折目については、折り易く、立体化が容易なようにエンボス加工等を予めほどこしておいてもよい。
【００１９】
（底面部）
「底面部」（０１０２）は、第一折目を介して背面部と隣接し、谷折りとなる第三折目（０１１３）を介して後述する底面部接続領域と、山折りとなる第四折目を介して前面部接続領域と隣接する部分であって、シートを容器として立体化させたときに容器の底面を形成する部分をいう。山折りとは、当該折目が折り曲げられると、折目を挟んで隣接する内側の面同士が離れる方向の折り方をいう。底面部の中央部分には谷折りとなる第二折目（０１１２）が設けられている。容器として立体化するときには、容器底面部の谷折り部分が展開することにより、底面部中央がせり上がって、袋状の空間が形成される。
【００２０】
（底面部接続領域）
「底面部接続領域」（０１０３）は、谷折りとなる第三折目（０１１３）を介して底面部と、山折りとなる第四折目を介して後述する前面部接続領域と隣接し、シートを容器として立体化させたときに、底面近くの前面部の内壁を形成する部分である。
【００２１】
（前面部接続領域）
「前面部接続領域」（０１０４）は、山折りとなる第四折目（０１１４）を介して中央部分で底面部と隣接し、その他の部分で底面部接続領域と隣接し、かつ、谷折りとなる第五折目（０１１５）を介して後述する前面部と隣接する部分であって、シートを容器として立体化させたときに、前面部側に寄せられ、前面部とともに容器が自立するための脚となる。前面部接続領域は、底面の領域を広げ美観を向上させる観点から、前面部にできるだけ密着させることが好ましく、糊等の接着剤を用いて前面部内側に接着する方法が考えられる。
【００２２】
（前面部）
「前面部」（０１０５）は、第五折目（０１１５）を介して前面部接続領域に隣接し、シートを立体化させたときに、容器の前面を形成し、前面部下部は前面部接続領域とともに、容器を自立させるための脚となる部分である。前面部の形状は、容器に指を入れやすいように、前面開口部分が下がっているものであっても良い。
【００２３】
（接続部）
「接続部」（０１０６、０１０６）は、前面部又は背面部の両側から延出する部分であり、シートを容器として立体化させたときに、容器の前面部と背面部とをつないで容器壁面を形成する部分である。接続部は、前面部に設けられている場合には背面部に接続し、背面部に設けられている場合には前面部に接続する。接続部について本実施形態においては、前面部の両脇に設けてこれを折り返し、背面部に接続することにより、袋状の容器としている。本実施形態と異なり、接続部を背面部に設ける構成としても、あるいは前面部及び背面部双方に設ける構成としてもよい。また、接続部の下部は、容器を自立させるための脚となる。
【００２４】
（立体後の容器）
図２は、後述する蓋部、差込片、差込スリット付きの本シートを立体化させ容器とした場合の正面図であり、図３は背面図である。図４は下方背面斜視図である。図４からわかるように、容器底面を下から見た場合に、容器が自立するための脚となる部分は略半楕円状であり、円周状に囲われていないことから、容器底面を展開する場合に、背面方向から指を差し入れて底面を展開することが容易である。背面方向から指を差し入れて底面を展開する条件としては、図５記載のように両接続部の下部（ａ＋ｂ）が略半楕円の底面部であり、第一折目と一致するｃよりも小さいとき（ａ＋ｂ＜ｃ）である。
【００２５】
シートの素材として考えられるものは、典型的には紙であり、中に入れる食べ物を保持できるだけの強度を有し、油分のある食べ物や水分を含んでいる食べ物と接触した場合でも、食べ物に変異を来たさないような、油分や水分で変質したり、溶けたり、化学反応をおこして有害化したりしないような素材が適切である。また、上記の性質を有する限りでビニール等のコーティングを施したものであってもよい。紙のサイズ、形状は、中に入れる食べ物に応じて自由に設計することができる。ここで考えられる食べ物とは、例えば、から揚げ、フライドポテト、ドーナツ、チョコレートなどである。
【００２６】
＜効果＞
本実施形態に示す構成をとることにより、容器背面側にできる脚の隙間から指を入れて容器底面を容易に展開させ立体化させることが可能であり、接続領域が前面部のみであることから紙や糊の消費が抑えられ容器作成コストを軽減される紙状素材のフィンガーフード用容器を提供することができる。
≪実施形態２≫
【００２７】
＜概要＞
本実施形態のシート及び容器は、実施形態１記載のシート及び容器の構成に加え、さらに底面の機能を補充する部位を設けることにより、油や水分が下から流出することを防止することを特徴とする容器に関する。なお、第二の考案にかかるシートを所定の折り目で谷折りあるいは山折りしたのが第四の考案にかかる容器であるから、以下の説明は両者に共通する。
【００２８】
＜構成＞
本実施形態のシート及び容器は、実施形態１記載のシート及び容器に加えて、第一折返部及び第二折返部を有する。以下、各部の構成について図６を用いて説明する。
【００２９】
（第一折返部）
「第一折返部」（０６０７、０６０７）は、第六折目（０６１６、０６１６）を介して背面部と隣接する部分であり、シートを容器として立体化させたときに、背面部の外側または前面部の内側に折り返される部分をいう。
【００３０】
（第二折返部）
「第二折返部」（０６０８、０６０８）は、第七折目（０６１７、０６１７）を介して底面部接続領域と隣接する部分であり、シートを容器として立体化させたときに、背面部の外側または前面部の内側に折り返される部分をいう。
【００３１】
底面中央部分がせり上がる形状の容器は、底面側面部分の一番低い箇所に空洞があると、容器内部に入れた食べ物から出る油や水分が漏れやすいという問題がある。具体的に、図７を用いて説明すると、底面中央部分がせり上がって底面が展開されると、底面側面部分の一番低い箇所は、ＰＯＩＮＴ１とＰＯＩＮＴ２と記載された場所となり、背面部、前面部、底面部の３つの面が集まる箇所で、その集まった箇所からわずかながら、内部から外部へと通過可能な空間が形成され、そこから油等が漏れることがある。そこで、食べ物から出る油等の漏出を防止するため、折返部の開口が上向くよう設計された第一折返部及び第二折返部を設けた。第一折返部及び第二折返部が折り返されることにより、容器に入れた食べ物から出る油や水分が容器下部から漏れることを防止することが可能となった。図８は折返部を背面外側に折り返した場合の概念図であり、これからも分かるように、折返部が背面に折り返されて、その開口が上を向いているため、底面から油等が漏れることを防止することが可能となる。
【００３２】
（蓋部を有する容器への応用）
実施形態１及び２について、蓋部を有するシート又は容器に応用することも可能である。これについて、図９を用いて説明する。
【００３３】
（蓋部）
「蓋部」（０９２１）は、背面部から延出するように設けられた容器開口部分を覆う部分であり、蓋部に設けられた後述する差込片を、前面部に設けられた後述する差込スリットに差し込んで係止させる。図１０は、容器の蓋部から延出する後述する差込スリットに差込片をいれて蓋部を容器前面部に係止した状態の正面図である。
【００３４】
（差込片）
「差込片」（０９２２）とは、蓋部の先端に設けられ、後述する差込スリットに入れることで蓋部が容器開口を閉じた状態を固定する部分である。
【００３５】
（差込スリット）
「差込スリット」（０９２３）とは、シートを容器として組み立てた後に、容器前面部に形成される差込部を差し込むための切れ込みである。この切れ込みは、差込部を差込スリットに差し込んで蓋を固定することができれば形状は問わない。
【００３６】
（爪楊枝保持スリット）
「爪楊枝保持スリット」（０９２４）は、蓋部の中央部分等に、二本切れ込みを入れることにより、その切れ込み部分に挿入して爪楊枝を保持することが可能となる。これと異なり、容器背面や前面等に爪楊枝保持スリットを設けることとしても良い。
【００３７】
＜効果＞
本実施形態に示す構成をとることにより、背面部、前面部、底面部の３つの面が集まる部分について、底面部の両側面に設けられた折返部があることにより、容器に入れた食べ物から出る油や水分が容器下部から外に漏れることを防止することができ、かつ、容器背面側にできる脚の隙間から指を入れて容器底面を容易に展開させ立体化させることが可能であり、接続領域が前面部のみであることから紙や糊の消費が抑えられ容器作成コストを軽減される紙状素材のフィンガーフード用容器を提供することができる。
≪実施形態３≫
【００３８】
＜概要＞
本実施形態の容器は、第三及び第四の考案に係る容器について、特に底面部を所定の方法で形成してなる容器に関するものである。
【００３９】
＜構成＞
本実施形態の容器は、その基本的構成を第三及び第四の考案に係る容器の構成と同じくし、底面部の中央部に設けられている谷折りの第二折目を、容器外から押し上げることで底面部を展開して立体化させる。
【００４０】
本実施形態の容器は、容器底面部の中央部に設けられている谷折りの第二折目（０１１２）を、容器底面部の外側から容器開口部方向に向けて押し上げることで展開し、容器を立体化させる。
【００４１】
図１１は、立体化させた容器を左側から見た図であり、図１２はその断面図である。この図から分かるように、容器底面部の中央付近がせり上がって展開する。
【００４２】
＜効果＞
本実施形態に示す構成をとることにより、容易に底面部を形成することが可能な、底面部の両側面に設けられた折返部があることから容器に入れた食べ物から出る油や水分が容器下部から外に漏れることを防止することができ、かつ、容器背面側にできる脚の隙間から指を入れて容器底面を容易に展開させ立体化させることが可能であり、接続領域が前面部のみであることから紙や糊の消費が抑えられ容器作成コストを軽減される紙状素材のフィンガーフード用容器を提供することができる。
【図１】
0003195440.tif 000003
【図２】
0003195440.tif 000004
【図３】
0003195440.tif 000005
【図４】
0003195440.tif 000006
【図５】
0003195440.tif 000007
【図６】
0003195440.tif 000008
【図７】
0003195440.tif 000009
【図８】
0003195440.tif 000010
【図９】
0003195440.tif 000011
【図１０】
0003195440.tif 000012
【図１１】
0003195440.tif 000013
【図１２】
0003195440.tif 000014